(57)【特許請求の範囲】
【請求項１】
本体に、太陽電池セルを設けた太陽電池モジュールにおいて、
上記本体は、略直角をなす２つの基準辺と斜辺を有する略直角三角形の少なくとも１つの鋭角の部分を切除したような形を有し、
上記切除した鋭角の部分に相当する箇所に位置する取付け用の接合金具を、上記本体に固定しており、
上記本体は、上記略直角三角形の２つの鋭角の部分を切除したような形を有し、
上記取付け用接合金具は、上記切除した２つの鋭角の部分に相当する箇所のうちの１つに位置することを特徴とする太陽電池モジュール。
【請求項２】
本体に、太陽電池セルを設けた太陽電池モジュールにおいて、
上記本体は、略直角をなす２つの基準辺と斜辺を有する略直角三角形の少なくとも１つの鋭角の部分を切除したような形を有し、
上記切除した鋭角の部分に相当する箇所に位置する取付け用の接合金具を、上記本体に固定しており、
上記本体は、フレームにパネルが固定されてなり、上記フレームの少なくとも２つの頂角において、隣り合う上記フレームを構成する各部材は、固定部材によって接続されていて、
上記固定部材は、上記フレームの異なる角度を有する２つの頂角に夫々略等しい２つの頂角を有する四辺形の形をしていることを特徴とする太陽電池モジュール。
【請求項３】
請求項１に記載の太陽電池モジュールにおいて、
上記本体は、フレームにパネルが固定されてなり、上記フレームの少なくとも２つの頂角において、隣り合う上記フレームを構成する各部材は、固定部材によって接続されていて、
上記固定部材は、上記フレームの異なる角度を有する２つの頂角に夫々略等しい２つの頂角を有する四辺形の形をしていることを特徴とする太陽電池モジュール。
【請求項４】
請求項１乃至３のいずれか１つに記載の太陽電池モジュールにおいて、
上記本体の１つの基準辺と斜辺との間の接続辺は、他の基準辺に略平行であることを特徴とする太陽電池モジュール。
【請求項５】
請求項１乃至４のいずれか１つに記載の太陽電池モジュールにおいて、
上記フレームの略直角をなす互いに隣り合う部材は、固定部材によらずに直接固定されていることを特徴とする太陽電池モジュール。
【請求項６】
上記接合金具を、隣接して設置された他の太陽電池モジュールが備える取付け金具に、または、所定の位置に予め設置された取付け金具に固定する一方、
上記固定手段が設けられた箇所に対向する基準辺を、この基準辺と略平行に設置された桟に固定することを特徴とする請求項１乃至５のいずれか１つに記載の太陽電池モジュールの固定方法。
【発明の詳細な説明】
【０００１】
【発明の属する技術分野】
この発明は、太陽電池モジュールに関する。
【０００２】
【従来の技術】
従来、太陽電池モジュールとして、図１６に示すようなものがある（特開平１０−１２９１１号公報）。この太陽電池モジュール１００１は、フレーム１００２にパネル１００３が固定されてなる本体１００４に、複数の太陽電池セル１００６が設けられていて、上記本体１００４は略直角三角形の形を有している。図１７に示すように、上記本体１００４が直角三角形の太陽電池モジュール１００１を、本体が矩形の太陽電池モジュール１００８と共に、例えば寄棟形屋根の三角形の屋根部分１０１０に取付けて、上記屋根部分１０１０における太陽電池モジュールの空白部を少なくしている。これによって、上記屋根部分１０１０に太陽電池モジュールを多く設置して発電量を増加させると共に、屋根部分１０１０の美観を向上させている。
【０００３】
上記三角形の屋根部分１０１０には、以下のようにして太陽電池モジュール１００１，１００８，を設置している。この屋根部分１０１０の三角形の底辺の直角方向に、複数の縦桟１０１１，１０１１・・・を互いに平行に所定の間隔をおいて設置する。隣合う上記縦桟１０１１，１０１１に、上記矩形の太陽電池モジュール１００８の対向する２つの辺を固定して、矩形の太陽電池モジュール１０８０を屋根部分１０１０にタイル状に配置する。上記本体１００４が直角三角形の太陽電池モジュール１００１については、上記本体１００４の上記縦桟１０１１に略平行な辺を縦桟１０１１に固定して、上記本体１００４の斜辺が屋根部分１０１０の斜辺に略平行になるように配置している。
【０００４】
【発明が解決しようとする課題】
しかしながら、上記本体１００４が直角三角形の太陽電池モジュール１００１は、上記縦桟１０１１に固定した１辺に対向する鋭角部分が、縦桟１０１１に固定し難いので、上記屋根部分１０１０に強固に設置し難いという問題がある。上記特開平１０−１２９１１号公報において、本体が直角三角形の太陽電池モジュールを強固に設置する方法は開示されていない。
【０００５】
そこで、本発明の目的は、強固かつ簡単、安価に設置できる太陽電池モジュールを提供することにある。
【０００６】
【課題を解決するための手段】
上記目的を達成するため、第１の発明の太陽電池モジュールは、本体に、太陽電池セルを設けた太陽電池モジュールにおいて、
上記本体は、略直角をなす２つの基準辺と斜辺を有する略直角三角形の少なくとも１つの鋭角の部分を切除したような形を有し、
上記切除した鋭角の部分に相当する箇所に位置する取付け用の接合金具を、上記本体に固定しており、
上記本体は、上記略直角三角形の２つの鋭角の部分を切除したような形を有し、
上記取付け用接合金具は、上記切除した２つの鋭角の部分に相当する箇所のうちの１つに位置することを特徴としている。
【０００７】
上記構成によれば、従来の略直角三角形の本体を有する太陽電池モジュールにおいて、強固に固定し難かった鋭角の部分に相当する箇所が、上記接合金具によって取付け金具などに強固に固定される。したがって、従来の太陽電池モジュールを取付けるための桟などに加えて、上記接合金具を取付ける取付け金具などを設けるのみで、本発明の太陽電池モジュールは強固に固定される。これによって、上記太陽電池モジュールは、少ない固定用部品で、安価、かつ、強固に所定の固定場所に固定される。
【０００８】
さらに、上記本体は、上記切除した２つの鋭角の部分に相当する箇所のうちの一方に接合金具を取付ける太陽電池モジュールと、他方に接合金具を取付ける太陽電池モジュールとの、いずれにおいても共有できる。つまり、上記２つの基準辺のうちの一方を桟などに固定し、この一方の基準辺に対向する一方の接合金具を取付け金具などに固定する太陽電池モジュールと、上記２つの基準辺のうちの他方を桟などに固定し、この他方の基準辺に対向する他方の接合金具を取付け金具などに固定する太陽電池モジュールとの、いずれにおいても上記本体を共有できる。したがって、本体の形を変えることなく２種類の太陽電池モジュールが製造されるので、この太陽電池モジュールが安価になる。
【０００９】
第２の発明の太陽電池モジュールは、本体に、太陽電池セルを設けた太陽電池モジュールにおいて、
上記本体は、略直角をなす２つの基準辺と斜辺を有する略直角三角形の少なくとも１つの鋭角の部分を切除したような形を有し、
上記切除した鋭角の部分に相当する箇所に位置する取付け用の接合金具を、上記本体に固定しており、
上記本体は、フレームにパネルが固定されてなり、上記フレームの少なくとも２つの頂角において、隣り合う上記フレームを構成する各部材は、固定部材によって接続されていて、
上記固定部材は、上記フレームの異なる角度を有する２つの頂角に夫々略等しい２つの頂角を有する四辺形の形をしていることを特徴としている。
【００１０】
上記構成によれば、従来の略直角三角形の本体を有する太陽電池モジュールにおいて、強固に固定し難かった鋭角の部分に相当する箇所が、上記接合金具によって取付け金具などに強固に固定される。したがって、従来の太陽電池モジュールを取付けるための桟などに加えて、上記接合金具を取付ける取付け金具などを設けるのみで、本発明の太陽電池モジュールは強固に固定される。これによって、上記太陽電池モジュールは、少ない固定用部品で、安価、かつ、強固に所定の固定場所に固定される。
【００１１】
さらに、上記固定部材の一方の頂角を挟んで、フレームを構成する部材のうちの２つの部材を固定する一方、上記固定部材の他方の頂角を挟んで、フレームを構成する他の２つの部材を固定する。そうすると、１つの形の固定部材によって、角度が互いに異なる２つの頂角を有するフレームが形成される。したがって、固定部材は１種類製造するのみでよいので、太陽電池モジュールが安価になる。
【００１２】
１実施形態では、上記本体は、フレームにパネルが固定されてなり、上記フレームの少なくとも２つの頂角において、隣り合う上記フレームを構成する各部材は、固定部材によって接続されていて、
上記固定部材は、上記フレームの異なる角度を有する２つの頂角に夫々略等しい２つの頂角を有する四辺形の形をしている。
【００１３】
上記実施形態によれば、上記固定部材の一方の頂角を挟んで、フレームを構成する部材のうちの２つの部材を固定する一方、上記固定部材の他方の頂角を挟んで、フレームを構成する他の２つの部材を固定する。そうすると、１つの形の固定部材によって、角度が互いに異なる２つの頂角を有するフレームが形成される。したがって、固定部材は１種類製造するのみでよいので、太陽電池モジュールが安価になる。
【００１４】
１実施形態では、上記本体の１つの基準辺と斜辺との間の接続辺は、他の基準辺に略平行である。
【００１５】
上記実施形態によれば、上記接続辺は、この接続辺が対向する上記他の基準辺に略平行であり、上記１つの基準辺に略直角である。したがって、上記接合金具が本体に容易に取付けられる。
【００１６】
１実施形態では、上記フレームの略直角をなす互いに隣り合う部材は、固定部材によらずに直接固定されている。
【００１７】
上記実施形態によれば、上記略直角をなす互いに隣り合う部材は、例えばネジなどによって直接固定されているので、上記固定部材を直角以外の角度の頂角に用いることができるから、上記本体が少ない材料で安価に製造される。
【００１８】
第３の発明による太陽電池モジュールの固定方法は、上記接合金具を、隣接して設置された他の太陽電池モジュールが備える取付け金具に、または、所定の位置に予め設置された取付け金具に固定する一方、
上記固定手段が設けられた箇所に対向する基準辺を、この基準辺と略平行に設置された桟に固定することを特徴としている。
【００１９】
上記構成によれば、例えば屋根などの太陽電池モジュールの設置場所に、複数の桟を互いに平行に１つの方向に設置して、この桟に上記太陽電池モジュールの基準辺の１つを固定すると共に、上記接合金具を上記取付け金具に固定する。上記取付け金具は、隣接して配置されたほかの太陽電池モジュールに設けても、上記屋根に直接設けてもよい。これによって、上記屋根に１つの方向に桟を設置するのみで、上記太陽電池モジュールが強固に上記屋根に設置される。したがって、上記太陽電池モジュールは、簡単かつ確実、しかも、安価に、所定の位置に固定される。
【００２０】
【発明の実施の形態】
以下、この発明を図示の実施の形態により詳細に説明する。
【００２１】
図１は、本発明の実施形態の太陽電池モジュールを示す図である。この太陽電池モジュール１は、パネル２とこのパネル２を固定するフレーム３とからなる本体４に、スーパーストレート型の太陽電池セル６が設けられている。上記本体４は、略直角をなす２つの基準辺４１，４２と、斜辺４３を有し、略直角三角形の２つの鋭角の部分を切除したような５角形の形を有する。上記切除した２つの鋭角の部分に相当する箇所の１方であって、本体４の図１において左下側に、太陽電池モジュールの取付け用の接合金具８が位置している。上記本体の斜辺４３と基準辺４１との間には、接続辺４５が形成されていて、この接続辺４５は対向する基準辺４２に平行に形成されている。上記本体の斜辺４３と基準辺４２との間には、接続辺４６が形成されていて、この接続辺４５は対向する基準辺４２に平行に形成されている。上記斜辺４３と接続辺４６とがなす頂角４９は、鈍角の角度α°を有し、上記斜辺４３と接続辺４５とがなす頂角４８は、鈍角の角度β°を有している。上記太陽電池モジュール１は、図１の横方向に、略８８０ｍｍの幅を有する。
【００２２】
図２は、上記パネル２の構造を示した分解斜視図であり、簡単のためにパネル２は矩形に示している。このパネル２は、複数の太陽電池セル２１ａ，２１ａ・・・がインターコネクタによって直列または並列に接続されてなる太陽電池セル列２１を、透明樹脂からなる充填材２２，２２を介して、受光面側の白板強化ガラス板２３と、裏面側の耐候性フィルム２４とで挟んで形成している。図３（ａ）は、上記パネル２を表面側から見た平面図であり、図３（ｂ）は側面図である。図３においてもパネルは矩形で示している。図３（ｂ）に示すように、上記パネル２の裏面に、上記インターコネクタに接続する端子ボックス２５を配置して、この端子ボックス２５から、上記太陽電池セル２１ａ，２１ａ・・・で発電された電気を出力するための出力ケーブル２６を導出している。
【００２３】
上記パネル２を固定するフレーム３は、アルミニウム材料からなり、上記本体４の複数の辺に対応する複数のフレーム部材からなる。すなわち、図４の太陽電池モジュール１の裏面図に示すように、パネル２の縁に位置する複数のフレーム部材３１，３２・・・が、互いに固定されてフレーム３を形成している。上記本体４の基準辺４１，４２に対応するフレーム部材３１，３２は、互いに直角をなしていて、ネジによって直接固定されている。
【００２４】
図５は、上記フレーム部材３１，３２の接続部分を示した図である。上記フレーム部材３１は、上端にパネル２を受取るための長さ方向に延びる溝３１ａを有し、フレーム部材３１の長さ方向に延びて断面に開口するタッピングホール３１ｂを有する。上記フレーム部材３２は、上端にパネル２を受取るための長さ方向に延びる溝３２ａを有し、側面に開口するネジ孔３２ｂを有する。上記フレーム部材３１，３２の溝３１ａ，３２ａにパネル２の縁を嵌合させ、上記タッピングホール３１ｂにネジ孔３２ｂを貫通するネジを留めて、上記パネル２をフレーム３に固定すると共に、フレーム部材３１，３２を互いに固定している。
【００２５】
図４において、上記本体４の基準辺４１と接続辺４５とに各々対応するフレーム部材３１，３５もまた、互いに直角をなして、上記フレーム部材３１，３２と同様にネジによって直接固定されている。上記基準辺４２と接続辺４６とに各々対応するフレーム部材３２，３６もまた、互いに直角をなして、ネジによって直接固定されている。
【００２６】
上記斜辺４３と接続辺４６とが角度α°をなして接続する頂角４９において、フレーム部材３３とフレーム部材３６とが、固定部材３９を介して固定されている。また、上記接続辺４５と斜辺４３とが角度β°をなして接続する頂角４８において、フレーム部材３３とフレーム部材３５とが、上記固定部材３９を介して固定されている。図６は、上記固定部材３９の平面と左右両側面、上下面を示した図である。この固定部材３９はアルミニウム材料からなり、平面において中空の四辺形の形を有する。この固定部材３９は、上記本体４の頂角４９における角度α°と略同じ角度α°を有する頂角３９１と、本体４の頂角４８における角度β°と略同じ角度β°を有する頂角３９２とを有し、上記頂角３９１と頂角３９２とが対向して形成されている。さらに、この固定部材３９は、（α−９０）°の角度を有する頂角３９４と、この頂角３９４に対向して（β−９０）°の角度を有する頂角３９５を有する。上記固定部材３９は、４つの辺の側面に、ネジ孔３９５，３９５・・・が設けられている。この固定部材３９を用いて、頂角３９１を挟む辺４０１と辺４０２の側面に、上記フレーム部材３３とフレーム部材３６の内側面を接して、このフレーム部材３３，３６に設けられたネジ孔と、固定部材３９のネジ孔３９５，３９５・・・とをネジで留めて、上記フレーム部材３３，３６を互いに固定している。また、この固定部材３９を用いて、頂角３９２を挟む辺４０４と辺４０５の側面に、上記フレーム部材３３とフレーム部材３５の内側面を接して、このフレーム部材３３，３５と固定部材３９とをネジで固定して、上記フレーム部材３３，３５を互いに固定している。
【００２７】
なお、上記フレーム部材３３，３５，３６のいずれも、図５に示したフレーム部材３１，３２の溝３１ａ，３２ａと同様の溝を有し、この溝に上記パネル２の縁を嵌合して、パネル２をフレーム３に固定している。
【００２８】
図７は、上記太陽電池モジュールの取付け用の接合金具８を示す図である。この接合金具８は、ネジ孔８１１，８１１，８１１を有する５角形の接合板８１を備え、この接合板８１と一体に形成されて略Ｌ字型をなす取付け部材８２を有する。この取付け部材８２の図７における縦長部分には、本体４にネジ留めするためのネジ孔８２１，８２１，８２１が設けられている。上記取付け部材８２の図７における横長部分には、補強板８３がボルト８３１，８３１を介して固定されていて、この補強板８３の取付け部材８２に固定された側の反対側に、本体４にネジ留めするためのネジ孔８３３，８３３が設けられている。さらに、上記取付け部材８２は、上記接合板８１と略平行に延びる突起８５，８５，８５が一体に形成されていて、上記突起８５には、ネジ孔８５１が各々設けられている。
【００２９】
上記接合金具８は、図８のようにして本体４に取付けられている。すなわち、接合金具８の取付け部材８２を、ネジ８５５でネジ孔８２１を介して本体４の接続辺４５の側面にネジ留めしている。また、上記補強板８３を、図示しないネジでネジ孔８３３を介して、本体の基準辺４１の側面にネジ留めしている。こうして、上記接合金具８の接合板８１を、直角三角形の鋭角部分を切除したような形状を有する本体４において、上記切除した鋭角部分に相当する箇所に位置するようにしている。
【００３０】
上記構成の太陽電池モジュール１を、図９に示すような寄棟屋根の屋根部分に設置する。この屋根部分５０は、図９において左側の斜辺５０１と右側の斜辺５０２が略等しい台形の形を有し、図９の上底５０４側が棟側であり、下底５０５側が軒側である。この屋根部分５０に、上記台形の下底５０５に直交して、６本の縦桟５１を互いに平行に配置する。上記縦桟５１は、長さが互いに異なる３種類の縦桟５１ａ，５１ｂ，５１ｃからなり、上記縦桟５１ａは、矩形の太陽電池モジュール１００の図９における縦方向の長さと略同じ長さを有する。上記縦桟５１ｂは、上記矩形の太陽電池モジュール１００の縦方向の長さの略２倍の長さを有し、上記縦桟５１ｃは、矩形の太陽電池モジュール１００の縦方向の長さの略３倍の長さを有する。上記縦桟５１はアルミニウム材からなり、概ねＣ形の断面を有する形材である。上記縦桟５１ａ，５１ｂ，５１ｃ・・・は、互いに略９１０ｍｍの間隔をなして配置しており、この間隔は、上記屋根部分５０を構成している垂木の配置間隔の略２倍である。これは、上記縦桟５１ａ，５１ｂ，５１ｃ・・・の位置を垂木位置に一致させて、縦桟５１ａ，５１ｂ，５１ｃ・・・を木ネジなどで垂木に強固に直接固定するためである。なお、太陽電池モジュールの幅に対応して、縦桟の配置間隔が屋根の垂木の配置間隔の倍数に一致しない場合は、縦桟を垂木に直接固定しなくてもよい。上記縦桟５１ａ，５１ｂ，５１ｃ・・・の軒側端に、太陽電池モジュールの滑落防止のための図示しない止め部材を取付ける。そして、上記縦桟５１上に、矩形の太陽電池モジュール１００の図９における左右両側の辺を、隣り合う縦桟５１上に各々位置させて、矩形の太陽電池モジュール１００，１００・・・を配置する。この太陽電池モジュール１００は、横方向に８８０ｍｍの幅を有し、上記縦桟５１ａ，５１ｂ，５１ｃ・・・の上で、所定の隙間をなして配置する。その後、上記縦桟５１上において隣接する矩形の太陽電池モジュール１００，１００の２つの辺を、モジュール間留め具によって固定する。
【００３１】
図１０（ａ）は、上記縦桟５１の一部分を示す図であり、図１０（ｂ）は、上記モジュール間留め具５２を示す図である。このモジュール間留め具５２は、Ｃ形断面を有するカバー５２１と、このカバー５２１のウェブに設けられた孔に貫通すると共にボルト頭で上記ウェブに係止するボルト５２２と、このボルトの軸の周囲に配置されたスプリングバネ５２３と、このスプリングバネ５２３を圧縮するように上記ボルト軸の端部側に螺合する内側留め具５２４とからなる。図１０（ｃ）の断面図に示すように、縦桟５１の上に配置された２つの矩形の太陽電池モジュール１００，１００の辺を、この辺の外側面に各々設けられた溝１０１，１０１に上記カバー５２１の両端を噛み合わせると共に、上記縦桟５１の内側に挿入した内側留め具５２４を上記縦桟５２の内側面に係止させる。そして、上記ボルト５２２を回転して内側留め具５２４をボルト頭側に締め付けて、上記太陽電池モジュール１００，１００の各々の辺を縦桟５１に固定する。
【００３２】
図９において、最下段に５枚の矩形の太陽電池モジュール１００，１００・・・を配置した後、屋根部分５０の斜辺５０１，５０２に近接する位置に、本発明による太陽電池モジュール１を配置する。この屋根部分５０の斜辺５０１，５０２近傍の軒側端付近には、太陽電池モジュール１の接合金具８を固定するための固定金具５４を予め設置しておく。まず、屋根部分５０の図９における左側の斜辺５０１に近接して、左端の縦桟５１ａと上記固定金具５４の上に、太陽電池モジュール１を配置する。このとき、太陽電池モジュール１の基準辺４２が上記左端の縦桟５１ａ上に位置すると共に、太陽電池モジュール１の接合金具８が固定金具５４に位置するようにする。この後、モジュール間留め具５２によって、太陽電池モジュール１の基準辺４２と、この太陽電池モジュール１の図９において右側に隣接する矩形太陽電池モジュール１００の左側の辺とを固定する。また、上記接合金具８の接合板８１のネジ孔８１１を通るボルトで、接合金具８と固定金具５４とを固定する。次に、図９における右側の斜辺５０２に近接する位置に、太陽電池モジュール１の基準辺４２に関して太陽電池モジュール１の線対称の形状を有する太陽電池モジュール１２を配置する。この太陽電池モジュール１２は、上記太陽電池モジュール１の部品と同一の機能を有する部品を有するので、太陽電池モジュール１２の部品について、線対称の関係にあって同一の機能を有する太陽電池モジュール１の部品の参照番号を用いて説明する。この太陽電池モジュール１２は、図９において右側端の縦桟５１ａ上で、太陽電池モジュール１２の基準辺４２と、この太陽電池モジュール１２の左側に隣接する矩形太陽電池モジュール１００の右側の辺とを、モジュール間留め具５２で固定する。さらに、太陽電池モジュール１２の接合金具８を、予め屋根部分５０に設けられた固定金具５４に固定する。このようにして、図９に示すように屋根部分５０の軒側の最下段に、太陽電池モジュール１，１００，１００，１００，１００，１００，１２を設置する。
【００３３】
次に、屋根部分５０の軒側から２段目に、太陽電池モジュールを設置する。まず、縦桟５１ｂ，５１ｃ，５１ｃ，５１ｂ上に、矩形の太陽電池モジュール１００を３つ配置して、最下段の場合と同様にモジュール間留め具５２によって太陽電池モジュール１００を互いに、かつ、縦桟５１ｂ，５１ｃ，５１ｃ，５１ｂに固定する。続いて、屋根部５０の左側の斜辺５０１に近接する位置に、太陽電池モジュール１を配置する。この場合、左側端の縦桟５１ｂ上に太陽電池モジュール１の基準辺４２を配置すると共に、この太陽電池モジュール１を配置すべき位置の軒側に隣接する最下段の矩形の太陽電池モジュール１００に予め設けられた受け金具１０１に、太陽電池モジュール１の接合金具８を配置する。
【００３４】
図１１は、上記受け金具１０１が予め設けられた矩形の太陽電池モジュール１を示す図である。この太陽電池モジュール１００は、図１１において左側の辺１０２を縦桟５０ａに固定すると共に、右側の辺１０３を縦桟５１ｂに固定する。上記受け金具１０１は、図１１において上側の辺１０５から突出していて、左側の辺１０２に近接する位置に配置されている。上記受け金具１０１は、太陽電池モジュール１の接合金具８の接合板８１に設けられたネジ孔８１１と対応するネジ孔１０８，１０８，１０８が設けられている。
【００３５】
図９の縦桟５１ｂ上に配置された太陽電池モジュール１の基準辺４２と、矩形太陽電池モジュール１００の左側の辺とを、モジュール間留め具５２によって縦桟５１ｂに固定する。さらに、図１２に示すように、上記軒側に隣接する矩形の太陽電池モジュール１００の受け金具１０１と、太陽電池モジュール１の接合金具８とを、上記受け金具１０１のネジ孔１０８と接合金具８のネジ孔８１１とを通るボルト８１３，８１３，８１３によって固定する。
【００３６】
引き続いて、屋根部分５０の右側の斜辺５０２に近接して、５角形の本体を有する太陽電池モジュール１２を配置する。この太陽電池モジュール１２は、軒側の最下段の上記斜辺５０２に近接して配置した太陽電池モジュール１２と同一の構造を有する。また、上記太陽電池モジュール１２を配置すべき位置に隣接する最下段の矩形太陽電池モジュール１００には、図９に示すように、上記受け金具１０１が左右対称に形成された受け金具１１１が予め設けられている。
【００３７】
上記太陽電池モジュール１２を、基準辺４２が縦桟５１ａ上に位置すると共に、接合金具８が上記受け金具１１１に受取られるように、配置する。そして、上記基準辺４２と、この太陽電池モジュール１２の左側に隣接する矩形太陽電池モジュール１００の右側辺とを、モジュール間留め具５２によって縦桟５１ａに固定する。さらに、上記接合金具８と、受け金具１１１とを、各々のネジ孔を通したボルトによって固定して、第２段目の太陽電池モジュールの設置を完了する。
【００３８】
そして、上記２段目と同様に第３段目の太陽電池モジュールを設置して、図１３に示すように、全ての太陽電池モジュールの屋根部分５０への設置が完了する。
【００３９】
以上のように、台形の形を有する屋根部分５０に、矩形の太陽電池モジュール１００と、本体が５角形の太陽電池モジュール１，１２とを組み合わせて配置するので、台形の屋根部分５０に、太陽電池モジュールの空白部分が生じることなく略全ての面に太陽電池モジュールを配置できる。したがって、この屋根部分５０における発電効率と、屋根部分５０の美観を向上できる。しかも、上記太陽電池モジュール１，１２は、本体４が、直角三角形の鋭角部分が切除されたような形の５角形であり、上記切除された鋭角部分に相当する箇所に、太陽電池モジュール１，１２を固定する接合金具８を配置しているので、屋根部分５０に縦桟５１と固定金具５４とを配置するのみで、簡単かつ強固に屋根部分５０に太陽電池モジュール１，１２，１００を設置することができる。
【００４０】
上記太陽電池モジュール１，１２は、図１３に示すように、太陽電池モジュール１，１２の接合金具８が表側に露出しているが、接合金具８の取付け部材８２に一体に形成された突起８５，８５，８５に、略三角形の形を有して上記接合金具８を覆うカバーを、上記突起８５のネジ孔８５１を通るボルトで固定してもよい。上記カバーで接合金具８を覆って、屋根部分５０の美観をさらに向上することができる。
【００４１】
上記実施形態において、屋根部分５０に、この屋根部分５０の下底５０５に直角をなす縦桟５１を配置したが、屋根部分の下底に平行な横桟を配置して、この横桟に太陽電池モジュールを固定してもよい。この場合、屋根部分５０の斜辺５０１に近接する位置に、図１４に示すような太陽電池モジュール１４を配置する。この太陽電池モジュール１４は、図１に示した太陽電池モジュール１において接続辺４５に近接して配置されていた接合金具８が、接続辺４６に近接して配置されている点のみが、図１の太陽電池モジュール１と異なる。なお、太陽電池モジュール１４の接合金具８は、太陽電池モジュール１の接合金具８と左右対称の形状を有する。上記太陽電池モジュール１４を、横桟が配置された屋根部分に、以下のようにして設置する。すなわち、図１４における下側の基準辺４１を上記横桟に固定すると共に、接合金具８を、予め屋根部分や隣接する矩形の太陽電池モジュールに設けられた固定金具に固定する。
【００４２】
上記太陽電池モジュール１４は、図１の太陽電池モジュール１に比べて、接合金具８を配置する位置と、接合金具８の構造が左右対称である点のみが異なり、本体４は同一であるから、コストを殆ど上昇しないで縦桟用と横桟用の両方の太陽電池モジュールが製造できる。
【００４３】
上記太陽電池モジュール１，１２は、本体４が、略直角三角形の２つの鋭角部分を切除したような５角形の形を有していたが、図１５に示すような直角三角形の１つの鋭角部分を切除したような４角形の形であってもよい。図１５において、左側に接合金具８を設けた太陽電池モジュール１５は、縦桟用の太陽電池モジュールであり、上側に接合金具８を設けた太陽電池モジュール１６は、横桟用の太陽電池モジュールである。上記太陽電池モジュール１５，１６を、上記太陽電池モジュール１，１４に換えて屋根部分に配置すると、上記太陽電池モジュール１５，１６は、太陽電池モジュール１，１４よりも切除したような部分が少ないから、屋根部分における太陽電池モジュールの空白部分をより少なくできる。さらに、上記太陽電池モジュール１５の鋭角部分の角度（α−９０）°と鈍角部分の角度β°、および、上記太陽電池モジュール１６の鋭角部分の角度（β−９０）°と鈍角部分の角度α°は、いずれも図６に示した固定部材３９が有する頂角３９１，３９２，３９４，３９５の角度に含まれる。すなわち、上記固定部材３９を用いて、形が異なる複数の太陽電池モジュール１，１２，１４，１５，１６において、フレーム部材を接続して各々のフレーム３を製造できる。したがって、１つの種類の固定部材３９によって複数の太陽電池モジュール１，１２，１４，１５，１６を製造できるから、太陽電池モジュールの製造コストを効果的に削減することができる。
【００４４】
上記実施形態において、上記太陽電池モジュール１，１２は、本体４の斜辺４３と一方の基準辺４２との間の一方の接続辺４６が、他方の接続辺４５と略同じ長さであるが、上記一方の接続辺４６を他方の接続辺４５よりも大きくして、本体４を横長の台形の形状にしてもよい。これによって、例えば図１３の太陽電池モジュール１と、この太陽電池モジュール１に隣接する矩形の太陽電池モジュール１００とを、本体４が横長で台形形状の１つの太陽電池モジュールに置き換えることができて、屋根部分５０に設置する太陽電池モジュールの総個数を少なくできる。
【００４５】
上記実施形態において、本体４は、フレーム３と、このフレーム３に固定されたパネル２からなるが、上記本体は、フレームとパネルとが一体に形成されていてもよい。
【００４６】
【発明の効果】
以上より明らかなように、第１の発明の太陽電池モジュールは、本体に、太陽電池セルを設けた太陽電池モジュールにおいて、上記本体は、略直角をなす２つの基準辺と斜辺を有する略直角三角形の少なくとも１つの鋭角の部分を切除したような形を有し、上記切除した鋭角の部分に相当する箇所に位置する取付け用の接合金具を、上記本体に固定しており、上記本体は、上記略直角三角形の２つの鋭角の部分を切除したような形を有し、上記取付け用接合金具は、上記切除した２つの鋭角の部分に相当する箇所のうちの１つに位置するので、上記接合金具によって、従来の略直角三角形の形を有する太陽電池モジュールにおける鋭角の部分に相当する箇所を、例えば取付け金具などに強固に固定できるから、従来よりも少ない固定用部品によって、強固に、しかも、安価に、所定の固定場所に固定できる。また、上記本体は、２つの基準辺のうちの一方に対向する位置に接合金具を取付ける太陽電池モジュールと、２つの基準辺のうちの他方に対向する位置に接合金具を取り付ける太陽電池モジュールとのいずれにも共有することができるから、上記太陽電池モジュールの製造コストを削減できる。
【００４７】
第２の発明の太陽電池モジュールは、本体に、太陽電池セルを設けた太陽電池モジュールにおいて、上記本体は、略直角をなす２つの基準辺と斜辺を有する略直角三角形の少なくとも１つの鋭角の部分を切除したような形を有し、上記切除した鋭角の部分に相当する箇所に位置する取付け用の接合金具を、上記本体に固定しており、上記本体は、フレームにパネルが固定されてなり、上記フレームの少なくとも２つの頂角において、隣り合う上記フレームを構成する各部材は、固定部材によって接続されていて、上記固定部材は、上記フレームの異なる角度を有する２つの頂角に夫々略等しい２つの頂角を有する四辺形の形をしているので、上記接合金具によって、従来の略直角三角形の形を有する太陽電池モジュールにおける鋭角の部分に相当する箇所を、例えば取付け金具などに強固に固定できるから、従来よりも少ない固定用部品によって、強固に、しかも、安価に、所定の固定場所に固定できる。また、上記１つの固定部材によって、上記少なくとも２つの頂角において上記各部材を接続してフレームを形成できるから、固定部材は１種類製造するのみでよく、太陽電池モジュールを安価に製造できる。
【００４８】
１実施形態では、上記本体は、フレームにパネルが固定されてなり、上記フレームの少なくとも２つの頂角において、隣り合う上記フレームを構成する各部材は、固定部材によって接続されていて、上記固定部材は、上記フレームの異なる角度を有する２つの頂角に夫々略等しい２つの頂角を有する四辺形の形をしているので、上記１つの固定部材によって、上記少なくとも２つの頂角において上記各部材を接続してフレームを形成できるから、固定部材は１種類製造するのみでよく、太陽電池モジュールを安価に製造できる。
【００４９】
１実施形態では、上記本体の１つの基準辺と斜辺との間の接続辺は、他の基準辺に略平行であるので、上記接合金具を容易に本体に取付けることができる。
【００５０】
１実施形態では、上記フレームの略直角をなす互いに隣り合う部材は、固定部材によらずに、例えばネジなどによって直接固定されているので、上記固定部材を直角以外の角度の頂角に用いることができるから、上記フレームの多くの頂角を１つの固定部材で形成できて、太陽電池モジュールを安価にできる。
【００５１】
第２の発明による太陽電池モジュールの固定方法は、上記接合金具を、隣接して設置された他の太陽電池モジュールが備える取付け金具に、または、所定の位置に予め設置された取付け金具に固定する一方、上記固定手段が設けられた箇所に対向する基準辺を、この基準辺と略平行に設置された桟に固定するので、例えば屋根に１つの方向に桟を設置するのみで、上記太陽電池モジュールを強固に上記屋根に設置できるから、上記太陽電池モジュールを、簡単かつ確実、しかも、安価に、所定の位置に固定できる。
【図面の簡単な説明】
【図１】  本発明の実施形態の太陽電池モジュールを示す図である。
【図２】  パネル２の構造を示した分解斜視図である。
【図３】  図３（ａ）は、パネル２を表面側から見た平面図であり、図３（ｂ）は側面図である。
【図４】  太陽電池モジュール１の裏面図である。
【図５】  フレーム部材３１，３２の接続部分を示した斜視図である。
【図６】  固定部材３９の平面と左右両側面、上下面を示した図である。
【図７】  太陽電池モジュールの取付け用の接合金具８を示す図である。
【図８】  接合金具８の本体４への取付け部分を示した斜視図である。
【図９】  太陽電池モジュール１を、寄棟屋根の屋根部分に設置する様子を示す図である。
【図１０】  図１０（ａ）は、縦桟５１の一部分を示す図であり、図１０（ｂ）は、モジュール間留め具５２を示す図であり、図１０（ｃ）は、縦桟５１にモジュール間留め具５２によって太陽電池モジュール１００，１００を固定した様子を示す断面図である。
【図１１】  受け金具１０１が予め設けられた矩形の太陽電池モジュール１を示す図である。
【図１２】  矩形の太陽電池モジュール１００の受け金具１０１と、太陽電池モジュール１の接合金具８とを固定した様子を示す図である。
【図１３】  屋根部分５０への太陽電池モジュールの設置が完了した様子を示す図である。
【図１４】  横桟用の太陽電池モジュールを示す図である。
【図１５】  本体が直角三角形の１つの鋭角部分を切除したような４角形の形の太陽電池モジュールを示す図である。
【図１６】  従来の太陽電池モジュールを示す図である。
【図１７】  従来の太陽電池モジュールを、寄棟形屋根の三角形の屋根部分に取付けた様子を示す図である。
【符号の説明】
１  太陽電池モジュール
２  パネル
３  フレーム
４  本体
６  太陽電池セル
８  接合金具
４１  基準辺
４２  基準辺
４３  斜辺
４５  接続辺
４６  接続辺
４８  頂角
４９  頂角
【図１】
0003692292.tif 000002
【図２】
0003692292.tif 000003
【図３】
0003692292.tif 000004
【図４】
0003692292.tif 000005
【図５】
0003692292.tif 000006
【図６】
0003692292.tif 000007
【図７】
0003692292.tif 000008
【図８】
0003692292.tif 000009
【図９】
0003692292.tif 000010
【図１０】
0003692292.tif 000011
【図１１】
0003692292.tif 000012
【図１２】
0003692292.tif 000013
【図１３】
0003692292.tif 000014
【図１４】
0003692292.tif 000015
【図１５】
0003692292.tif 000016
【図１６】
0003692292.tif 000017
【図１７】
0003692292.tif 000018